(57)【特許請求の範囲】
【請求項１】
筒状のライトガイドの一端側に設けられた光源部からの光を前記ライトガイドを通して他端側へと導きながらライトガイド側面を発光させる照明装置であって、前記光源部は、高周波点灯される光源と、この光源の周を覆うとともに開口部がライトガイドの前記一端に臨む金属製の反射板とを備え、
前記反射板は、頂部側が前記光源の発光部よりも後方に位置し、開口側が前記発光部のほぼ中心位置に対応するパラボラ形状の第１の反射板部と、前記第１の反射板部の開口に一端が連結されて他端部に前記ライトガイドに対向する前記開口部を形成する筒状の第２の反射板部からなり、
前記反射板と前記ライトガイドの前記一端との間に、格子状のアルミニウムルーバを介在させたことを特徴とするライトガイド照明装置。
【請求項２】
前記アルミニウムルーバの格子は略５ｍｍ角から略５０ｍｍ角である請求項１記載のライトガイド照明装置。
【請求項３】
前記アルミニウムルーバの奥行きは前記アルミニウムルーバの格子幅の略０．５倍から略３倍である請求項１または請求項２記載のライトガイド照明装置。
【発明の詳細な説明】
【０００１】
【発明の属する技術分野】
この発明は、ライトガイド照明装置に関するものである。
【０００２】
【従来の技術】
従来の照明方式は、直接室内に光源部を設置して明るさを確保している。
【０００３】
【発明が解決しようとする課題】
しかし、この従来の方式は、ＨＩＤ光源等の高周波で点灯される光源の場合、点灯時にノイズが発生するため、コンピュータ等のノイズの影響を受けるような施設では適していなかった。
【０００４】
したがって、この発明の目的は、光源から発生する電磁ノイズを低減することができるライトガイド照明装置を提供することである。
【０００５】
【課題を解決するための手段】
請求項１記載のライトガイド照明装置は、筒状のライトガイドの一端側に設けられた光源部からの光を前記ライトガイドを通して他端側へと導きながらライトガイド側面を発光させる照明装置であって、前記光源部は、高周波点灯される光源と、この光源の周を覆うとともに開口部がライトガイドの前記一端に臨む金属製の反射板とを備え、
前記反射板は、頂部側が前記光源の発光部よりも後方に位置し、開口側が前記発光部のほぼ中心位置に対応するパラボラ形状の第１の反射板部と、前記第１の反射板部の開口に一端が連結されて他端部に前記ライトガイドに対向する前記開口部を形成する筒状の第２の反射板部からなり、
前記反射板と前記ライトガイドの前記一端との間に、格子状のアルミニウムルーバを介在させたことを特徴とするものである。
【０００６】
請求項１記載のライトガイド照明装置によれば、高周波点灯するノイズ発生源である光源部の前面に格子状のアルミニウムルーバを介在させており、点灯時に発生するノイズを格子状のアルミニウムルーバにより有効に低減する働きを有する。このアルミニウムルーバは一般的に用いられる金網、エキスパンドメタルと異なり、ライトガイド照明において照明効果（均斉度、照度等）の低減を抑えている。また光源背面部およびその近傍の光束を有効に活用することによりライトガイド照明の効率を大幅に向上することが可能となる。
【０００７】
請求項２記載のライトガイド照明装置は、請求項１において、前記アルミニウムルーバの格子が略５ｍｍ角から略５０ｍｍ角である。
【０００８】
請求項２記載のライトガイド照明装置によれば、請求項１と同様な効果がある請求項３記載のライトガイド照明装置は、請求項１または請求項２において、前記アルミニウムルーバの奥行きが前記アルミニウムルーバの格子幅の略０．５倍から略３倍である。
【０００９】
請求項３記載のライトガイド照明装置によれば、請求項１または請求項２と同様な効果がある。
【００１０】
【発明の実施の形態】
この発明の一実施の形態を図１から図９により説明する。すなわち、このライトガイド照明装置は、ノイズの発生源である光源部１を例えば展示室の室外Ａに設置し、室内Ｂに配置した筒状のライトガイド２の一端側から光源部１の光をライトガイド２の室内部分を通して他端側に導きながらライトガイド側面２ａを室内Ｂに向けて発光する照明装置である。
【００１１】
光源部１は、光源３の周を覆うとともに光をライトガイド２の一端に反射してライトガイド２を効率的に発光させる反射鏡の反射板４を備え、反射板４の開口部４ａとライトガイド２の一端との間にノイズの低減効果とライトガイド側面２ａの発光部３ａの均斉度を適正に保つ効果を有する格子状のアルミニウムルーバ５を介在している。
【００１２】
また多数の放熱穴６ａが付いた金属製の箱体６内の反射板４は金属製の特殊形状の反射鏡を備えてなり、ライトガイド照明において照明効率を向上させている。すなわち、一般には単一パラボラ形状により設計された反射鏡形状は図７に示すような片口金形状の光源の場合、反射鏡４′のパラボラ形状の頂部位置が光源３の発光部３ａの中心に位置しているので、発光部３ａの約半分の背面側に向かう光束を有効に活用できていない。これに対して、本形状は、図１に示すように、パラボラ面の頂部側が発光部３ａよりも後方に位置し、開口（裾側）側が発光部３ａのほぼ中心位置に対応する第１の反射板部２２と、第１の反射板部２２の開口に一端が連結されて他端部にライトガイド２に対向する開口部４ａを形成する筒状の第２の反射板部２３とで形成されるものであり、光源背面部およびその近傍の光束を有効に活用することによりライトガイド照明の効率を大幅に向上することが可能となった。なお、７は箱体６を建物の壁面８に連結する連結部材、１３は安定器１４を内蔵した安定器ボックスであり、取付台１９に取付けている。１５はランプ側ケーブル、１６は電源ケーブル、１８はランプソケットである。
【００１３】
ライトガイド２は、筒状であり内面に反射面を設け、ライトガイド側面２ａの所要の個所に透光開口を形成したものであり、天井９に吊り部材１２により吊られている。ライトガイド２のライトガイド側面２ａの透光開口の発光角度は例えば一般的に１８０度であるが、各部屋の各場所に応じて決定する。
【００１４】
格子状のアルミニウムルーバ５は、各格子の寸法が１５ｍｍ角で奥行き１５ｍｍのものを使用しているが、対象とするノイズ低減効果と照明効果のバランスにより格子の大きさの設定が可能である。
【００１５】
一般的にノイズの低減のためには、格子幅は対象とする周波数の波長の１／４×１／１０であり、奥行きは導波管効果により格子幅の３倍が理想とされる。照明効果においては、遮光角が浅いほど低減をおさえられる。実施の形態においては、実験によりそのバランスを決定したが、格子幅は対象とする周波数帯を考慮し略５〜５０ｍｍ角、奥行きは照明効率を考慮して０．５〜３倍が設定でき、実験により効果のバランスを実証すれば使用可能である。なお、アルミニウムルーバ５は、素材がアルミニウムであるほか、表面がアルミニウム材で処理されたもの例えばアルマイト仕上げされたものでもよい。１０は天井吊具、１１は床であり、吊り部材１２は天井９に複数取付けられている。
【００１６】
つぎにアルミニウムルーバ５を付けたことによるノイズ低減効果の測定を行った。図８はライトガイド２を付けない光源部１の前方にノイズ測定用のアンテナＳを配置し、アルミニウムルーバありの場合となしの場合、およびエキスパンドメタルＢをアルミニウムルーバの代わりに用いた場合において、測定周波数帯約５００ＭＨｚおよび約１ＧＨｚについてノイズの測定をした。結果は表１の通りである。なお、測定Ｎｏ．０３′、０４′、０５−１′、０６−１′には背面電波吸収体２０を光源部１の背面側に配置している。
【００１７】
【表１】
0004271391.tif 000002
【００１８】
つぎに光源部１に図９に示すようにライトガイド２を付けた場合について、ライトガイド２の側方にアンテナを配置して、上記と同様に測定した。結果は表２の通りである。
【００１９】
【表２】
0004271391.tif 000003
【００２０】
【表３】
0004271391.tif 000004
【００２１】
表３は表１と表２のノイズレベルの比較表である。この表３からいずれの周波数帯でも金網なしとアルミニウムルーバ付きとでは後者の方がノイズレベルが低下していることがわかる。特に１ＧＨｚでは約１６ｄＢμＶ／ｍの低減があることがわかる。
【００２２】
表４は、光源部１の前面にアルミニウムルーバがない場合、１５×１５ｍｍのアルミニウムルーバがある場合、アルミニウムルーバに代えてエキスパンドメタルまたは金網の場合についての２ｍ直下と１４ｍ直下の実測照度を示す。この表４によると均斉度はアルミニウムルーバなしのとき１３０／１７１＝０．７６、アルミニウムルーバありのとき９１．６／１２６＝０．７３、エキスパンドメタル（小）で７９．０／１２７＝０．６２であり、アルミニウムルーバの均斉度がエキスパンドメタルよりも優れていることわかる。
【００２３】
【表４】
0004271391.tif 000005
【００２４】
さらに実施の形態の反射板４と、図７に示す従来の反射板４′による全体平均照度を比較すると、天井高さ３ｍの部屋において、前面に金網の付いた光源部１の種々の高さ（０、０．９、１．８ｍ）の場合で、光源３から測定位置までの距離を種々変化したときの照度の全体の平均照度は、実施の形態で１０９．２（ｌｘ）、従来例で８４．５（ｌｘ）であり、実施の形態が１２９．３％で、約３０％の向上となった。
【００２５】
この実施の形態によれば、室外Ａに設置された金属製の箱体６に内蔵された高周波点灯するノイズ発生源である光源部１の前面に格子状のアルミニウムルーバ５を介在させており、点灯時に発生するノイズを格子状のアルミニウムルーバ５により有効に低減する働きを有する。このアルミウムルーバ５は一般的に用いられる金網、エキスパンドメタルと異なり、ライトガイド照明において照明効果（均斉度、照度等）の低減も抑えている。
【００２６】
【発明の効果】
請求項１記載のライトガイド照明装置によれば、高周波点灯するノイズ発生源である光源部の前面に格子状のアルミニウムルーバを介在させており、点灯時に発生するノイズを格子状のアルミニウムルーバにより有効に低減する働きを有する。このアルミニウムルーバは一般的に用いられる金網、エキスパンドメタルと異なり、ライトガイド照明において照明効果（均斉度、照度等）の低減を抑えている。また光源背面部およびその近傍の光束を有効に活用することによりライトガイド照明の効率を大幅に向上することが可能となる。
【００２７】
請求項２記載のライトガイド照明装置によれば、請求項１と同様な効果がある。
【００２８】
請求項３記載のライトガイド照明装置によれば、請求項１と同様な効果がある。
【図面の簡単な説明】
【図１】この発明の一実施の形態の部分側面図である。
【図２】光源部の背面図である。
【図３】部分平面図である。
【図４】ライトガイドの吊り部分の断面図である。
【図５】ライトガイドの吊り部分の側面図である。
【図６】光源を部屋に設置した状態の断面図である。
【図７】従来の反射鏡を用いた光源部の断面図である。
【図８】ライトガイドを付けない場合のノイズ測定対象の側面図である。
【図９】ライトガイドを付けた場合のノイズ測定対象の側面図である。
【符号の説明】
１    光源部
２    ライトガイド
３    光源
４    反射板
４ａ    開口部
５    アルミニウムルーバ
【図１】
0004271391.tif 000006
【図２】
0004271391.tif 000007
【図３】
0004271391.tif 000008
【図４】
0004271391.tif 000009
【図５】
0004271391.tif 000010
【図６】
0004271391.tif 000011
【図７】
0004271391.tif 000012
【図８】
0004271391.tif 000013
【図９】
0004271391.tif 000014